(57)【特許請求の範囲】
【請求項１】
筒状部材とその筒状部材の内側の空間中に布を保持する布保持部とからなる移行器具本体と、移行器具本体の上部開口部を覆うラップ部と、ラップ部を移行器具本体に固定するラップ固定部とを備えることを特徴とする原臭移行器具。
【発明の詳細な説明】
【技術分野】
【０００１】
本発明は、警察犬に嗅がせる原臭を布に移行する原臭移行器具に関するものである。
【背景技術】
【０００２】
犯罪捜査において、警察犬を使う場合、犯行現場に残された犯人の足跡や遺留品の臭い（原臭）を採取しなければならない。原臭の採取には、犯人の足跡や遺留品に布（例えば、晒し）を被せ、その布に原臭を移行させる手法が採用されている。
しかし、上記採取方法では、犯人の足跡や遺留品に直接触れることから、微物鑑定等の犯罪捜査に影響を与えるおそれがあった。
【０００３】
上記問題を解消するため、犯人の足跡や遺留品に直接触れることなく、原臭を採取する警察犬捜査の移行臭採取器が提供されている（例えば、特許文献１）。
【先行技術文献】
【特許文献】
【０００４】
【特許文献１】実用新案登録第３１５８７８８号公報
【発明の概要】
【発明が解決しようとする課題】
【０００５】
特許文献１の移行臭採取器は、晒しを乗せるネット状の物に足を設けた採取器本体と、その採取器本体を覆うテント形状のケースと、そのケースの左右の側面を繋ぐ外配管パイプと、そのパイプの途中に組み込まれるドライヤーとを備えるものである。この移行臭採取器によると、犯人の足跡や遺留品に直接触れずに、原臭を採取することができる。
【０００６】
しかし、特許文献１の移行臭採取器を用いて原臭を採取する場合、犯人の足跡や遺留品のある場所で採取器の設置作業（組立作業）を行わなければならない。その作業を行うにはある程度の時間が必要となり、原臭に捜査員の臭いが混合するという問題が生じる。
また、外配管パイプの管内には前回採取した臭いが付着しており、その臭いが付いたまま使用した場合、原臭と混合するという問題が生じる。
また、強風の際は、採取器本体のネット状の物に晒しを乗せることができない。
【０００７】
本発明は、上記問題を解決するものであって、設置が容易でかつ原臭のみを採取できる原臭移行器具を提供することを目的とするものである。
【課題を解決するための手段】
【０００８】
本発明の原臭移行器具は、筒状部材とその筒状部材の内側の空間中に布を保持する布保持部とからなる移行器具本体と、移行器具本体の上部開口部を覆うラップ部と、ラップ部を移行器具本体に固定するラップ固定部とを備えるようにしたものである。
【発明の効果】
【０００９】
本発明の原臭移行器具は、原臭を移行させる布を内部に設けた筒状のものである。原臭移行器具の下部開口部で犯人の足跡や遺留品を蓋うことにより、犯人の足跡や遺留品の原臭を布に移行できる。原臭移行器具は、犯人の足跡や遺留品の場所に置くだけで設置できることから、犯人の足跡や遺留品の場所における設置作業に時間がかからない。従って、原臭に捜査員の臭いが混合することを防止できる。
また、特許文献１の移行臭採取器と異なり、採取器本体を覆うテント形状のケースの左右の側面を繋ぐ外配管パイプは無いため、前回採取した臭いと原臭とが混合することもない。
また、原臭を移行する布を移行器具本体の内側の空間中に設けた原臭移行器具を設置するため、天候に左右されず容易に設置することができる。
【図面の簡単な説明】
【００１０】
【図１】本発明の原臭移行器具の中央縦断面図である。
【発明を実施するための形態】
【００１１】
本発明は、犯行現場における犯人の原臭採取が微物鑑定等の犯罪捜査に影響を与えないことを実現するものである。
【実施例】
【００１２】
本発明の原臭移行器具を図に基づいて説明する。図１は、本発明の原臭移行器具の中央縦断面図である。
本発明の原臭移行器具１０は、移行器具本体１２と、移行器具本体１２の上部開口部を覆うラップ部１４と、ラップ部１４を移行器具本体１２に固定するラップ固定部１６とを備えるようにしたものである。移行器具本体１２は、筒状部材１２ａと布保持部１２ｂとから構成されている。
筒状部材１２ａは、中空の筒状のものであり、上下が開口している部材である。円筒、角筒のいずれの形状であってもよい。図１の筒状部材１２ａの下部開口部は、地面２０に残されている犯人の足跡（又は遺留品）２２を蓋うことができる程度の大きさに形成されているものとする。
【００１３】
布保持部１２ｂは、筒状部材１２ａの内側の空間１２ｃ中に形成されており、空間１２ｃ中に布１８を保持するものである。図１に示す布保持部１２ｂは、筒状部材１２ａの所定の高さの位置に、格子網目状に張り巡らされたワイヤー（針金、鉄線）である。
【００１４】
ラップ部１４は、移行器具本体１２の上部開口部を覆う食品用ラップファイルである。ラップ部１４は、移行器具本体１２の上部開口部から原臭を移行する布１８を入れ、布保持部１２ｂにかけた後、食品用ラップファイルで移行器具本体１２の上部開口部を覆って形成する。
なお、ラップ部１４は、食品用ラップファイルに限るものではなく、他のラップであってもよい。
【００１５】
ラップ固定部１６は筒状のものであり、その内径は、移行器具本体１２の外径よりやや広く形成されている。ラップ固定部１６は、移行器具本体１２の上方から移行器具本体１２の側面に取り付けられ、移行器具本体１２の側面にラップ部１４を固定するものである。移行器具本体１２の上部開口部を覆うラップ部１４は、ラップ固定部１６によって移行器具本体１２に固定される。
なお、ラップ固定部１６は、筒状のものに限るものではなく、移行器具本体１２の側面にラップ部１４を固定できるものであればよい。
【００１６】
本発明の原臭移行器具１０において、ラップ部１４の固定は、地面２０に残されている犯人の足跡（又は遺留品）２２から十分離れた場所において行う。従って、原臭移行器具１０の設置は、犯人の足跡（又は遺留品）２２に原臭移行器具１０を置くだけであるから、短時間で犯人の足跡（又は遺留品）２２から離れることができ、捜査員の臭いが原臭に混合することを防止できる。
また、原臭移行器具１０を設置した場合、原臭が移行される布（例えば、晒し）は、原臭移行器具１０の内部空間１２ｃに位置するため、直接犯人の足跡（又は遺留品）２２に触れない。従って、犯行現場における犯人の原臭採取が微物鑑定等の犯罪捜査に影響を与えないようにすることができる。
【００１７】
気温が低く、原臭に時間がかかる場合は、移行器具本体１２の上部開口部を覆うラップ部１４の上に、温水を入れた容器などを置く。これにより、原臭移行器具１０内部の気温を上げることができ、原臭の採取に要する時間を短縮することができる。
【符号の説明】
【００１８】
１０  原臭移行器具
１２  移行器具本体
１２ａ  筒状部材
１２ｂ  布保持部
１２ｃ  空間
１４  ラップ部
１６  ラップ固定部
１８  布
【要約】
【課題】  設置が容易でかつ原臭のみを採取できる原臭移行器具を提供する。
【解決手段】  原臭移行器具１０は、筒状の移行器具本体１２と、移行器具本体１２の上部開口部を覆うラップ部１４と、ラップ部１４を移行器具本体１２に固定するラップ固定部１６とを備える。犯人の原臭を移行する布１８は、筒状の移行器具本体１２の内部空間１２ｃに形成される布保持部１２ｂにより、内部空間１２ｃに保持される。ラップ部１４の固定は、地面２０に残されている犯人の足跡又は遺留品２２から十分離れた場所において行われる。これにより、原臭移行器具１０の設置は、犯人の足跡又は遺留品２２に原臭移行器具１０を置くだけであるから、短時間で犯人の足跡又は遺留品２２から離れることができ、捜査員の臭いが原臭に混合することを防止できる。また、原臭が移行される布は、直接犯人の足跡又は遺留品２２に触れないため、微物鑑定等の犯罪捜査に影響を与えない。
【選択図】  図１【図１】
0005411384.tif 000002